(57)【要約】      （修正有）【課題】１つの画像データに関連するコメントを複数のユーザーで共有するシステムにおいて、投稿テーマを直感的に識別できるように分類した上で、コメントの閲覧・追加投稿を可能とする。【解決手段】画像データの所定位置に関連付けて、所定位置に表示させるマーカーと第１のコメントとを受け付ける手段と、画像データの所定位置に関連付けて、第１のコメントに対応する第２のコメントを受け付ける手段と、ユーザー端末の表示装置に対し、画像データを表示させると共に、画像データ上の所定位置にマーカーを表示させる手段と、ユーザー端末に表示されるマーカーの選択操作が行われた場合、表示装置に対し、同一の議題に対するコメントとして第１のコメントと第２のコメントとを表示させる手段と、を有する。記憶手段において、画像データと画像データの所定位置とマーカーと第１のコメントと第２のコメントとが関連付けて記憶される。【選択図】図２
2020003912.tif 000002
【特許請求の範囲】
【請求項１】
画像データを記憶する画像データ記憶手段と、
前記画像データの所定位置に関連付けて、前記所定位置に表示させるマーカーと第１のコメントとを受け付ける最先コメント受付手段と、
前記画像データの所定位置に関連付けて、前記第１のコメントに対応する第２のコメントを受け付ける追加コメント受付手段と、
ユーザー端末が備える表示装置に対し、前記画像データを表示させると共に、前記画像データ上の前記所定位置に前記マーカーを表示させる画像表示手段と、
前記ユーザー端末に表示される前記マーカーの選択操作が行われた場合、前記表示装置に対し、同一の議題に対するコメントとして前記第１のコメントと前記第２のコメントとを表示させるコメント表示手段と、を有し、
前記画像データ記憶手段において、前記画像データと前記画像データの所定位置と前記マーカーと前記第１のコメントと前記第２のコメントとが関連付けて記憶されることを特徴とする情報処理装置。
【請求項２】
前記所定位置が、前記画像データにおける位置を表す座標であることを特徴とする請求項１に記載の情報処理装置。
【請求項３】
前記画像データ記憶手段において、前記第１のコメント及び前記第２のコメントそれぞれを受け付けた時刻と前記第１のコメント及び前記第２のコメントとが関連付けて記憶され、
前記コメント表示手段が、前記第１のコメントと前記第２のコメントとを時系列順に表示させることを特徴とする請求項１又は２に記載の情報処理装置。
【請求項４】
前記最先コメント受付手段が、前記第１のコメントを提供するユーザーの属性情報を取得し、
前記追加コメント受付手段が、前記第２のコメントを提供するユーザーの属性情報を取得し、
前記画像データ記憶手段において、前記第１のコメント及び前記第２のコメントそれぞれを提供するユーザーの属性情報と前記第１のコメント及び前記第２のコメントとが関連付けて記憶されることを特徴とする請求項１乃至３の何れか一に記載の情報処理装置。
【請求項５】
前記画像データ記憶手段において記憶される前記マーカーが、変更可能であることを特徴とする請求項１乃至４の何れか一に記載の情報処理装置。
【請求項６】
画像データを記憶する画像データ記憶手段を有するコンピューターにおいて行われる情報処理方法であって、
最先コメント受付手段が、前記画像データの所定位置に関連付けて、前記所定位置に表示させるマーカーと第１のコメントとを受け付けるステップと、
追加コメント受付手段が、前記画像データの所定位置に関連付けて、前記第１のコメントに対応する第２のコメントを受け付けるステップと、
画像表示手段が、ユーザー端末が備える表示装置に対し、前記画像データを表示させると共に、前記画像データ上の前記所定位置に前記マーカーを表示させるステップと、
コメント表示手段が、前記ユーザー端末に表示される前記マーカーの選択操作が行われた場合、前記表示装置に対し、同一の議題に対するコメントとして前記第１のコメントと前記第２のコメントとを表示させるステップと、を含み、
前記画像データ記憶手段において、前記画像データと前記画像データの所定位置と前記マーカーと前記第１のコメントと前記第２のコメントとが関連付けて記憶されることを特徴とする情報処理方法。
【請求項７】
前記所定位置が、前記画像データにおける位置を表す座標であることを特徴とする請求項６に記載の情報処理方法。
【請求項８】
前記画像データ記憶手段において、前記第１のコメント及び前記第２のコメントそれぞれを受け付けた時刻と前記第１のコメント及び前記第２のコメントとが関連付けて記憶され、
前記コメント表示手段が、前記第１のコメントと前記第２のコメントとを時系列順に表示させることを特徴とする請求項６又は７に記載の情報処理方法。
【請求項９】
前記最先コメント受付手段が、前記第１のコメントを提供するユーザーの属性情報を取得し、
前記追加コメント受付手段が、前記第２のコメントを提供するユーザーの属性情報を取得し、
前記画像データ記憶手段において、前記第１のコメント及び前記第２のコメントそれぞれを提供するユーザーの属性情報と前記第１のコメント及び前記第２のコメントとが関連付けて記憶されることを特徴とする請求項６乃至８の何れか一に記載の情報処理方法。
【請求項１０】
前記画像データ記憶手段において記憶される前記マーカーが、変更可能であることを特徴とする請求項６乃至９の何れか一に記載の情報処理方法。
【請求項１１】
コンピューターに、請求項６乃至１０の何れか一に記載の方法を実行させるための情報処理プログラム。
【発明の詳細な説明】
【技術分野】
【０００１】
ＳＮＳ（Social Networking Service）などユーザー間で情報を共有可能なシステムの技術に関する。
【背景技術】
【０００２】
近年、情報通信ネットワークの技術進展に伴い、ＳＮＳを提供するシステムが多数存在する。ＳＮＳとは、Ｗｅｂ上で社会的ネットワークを構築可能とするサービスであり、参加するユーザー間で特定の情報を共有することが可能となり、例えば、同じ趣味を有するユーザーどうしで情報交換を行いたいなどのニーズを満たすものである。
【０００３】
そうしたことを背景に、ＳＮＳにおけるユーザーの投稿処理に関する研究・開発が盛んに行われており、例えば、特許文献１乃至３では、ＳＮＳにおけるユーザーの投稿処理に関する技術的な提案が行われている。
【先行技術文献】
【特許文献】
【０００４】
【特許文献１】特開２０１４−１６４６５７号公報
【特許文献２】特開２０１４−１４９８７５号公報
【特許文献３】特表２０１４−５１６１８０号公報
【発明の概要】
【発明が解決しようとする課題】
【０００５】
しかしながら、上記の従来技術においては、特定の画像データに関連して複数のユーザー間でコメントを共有しようとする場合、投稿テーマを直感的に識別した上で、コメントの閲覧、追加投稿を行うことが想定されていない又は困難であるという問題点があった。
【０００６】
そこで本発明では、上記問題点に鑑み、１つの画像データに関連するコメントを複数のユーザーで共有するシステムにおいて、投稿テーマを直感的に識別できるように分類した上で、コメントの閲覧・追加投稿を可能とする情報処理装置を提供することを目的とする。
【課題を解決するための手段】
【０００７】
開示する情報処理装置の一形態は、画像データを記憶する画像データ記憶手段と、前記画像データの所定位置に関連付けて、前記所定位置に表示させるマーカーと第１のコメントとを受け付ける最先コメント受付手段と、前記画像データの所定位置に関連付けて、前記第１のコメントに対応する第２のコメントを受け付ける追加コメント受付手段と、ユーザー端末が備える表示装置に対し、前記画像データを表示させると共に、前記画像データ上の前記所定位置に前記マーカーを表示させる画像表示手段と、前記ユーザー端末に表示される前記マーカーの選択操作が行われた場合、前記表示装置に対し、同一の議題に対するコメントとして前記第１のコメントと前記第２のコメントとを表示させるコメント表示手段と、を有し、前記画像データ記憶手段において、前記画像データと前記画像データの所定位置と前記マーカーと前記第１のコメントと前記第２のコメントとが関連付けて記憶されることを特徴とする。
【発明の効果】
【０００８】
開示する情報処理装置は、１つの画像データに関連するコメントを複数のユーザーで共有するシステムにおいて、投稿テーマを直感的に識別できるように分類した上で、コメントの閲覧・追加投稿を可能とする。
【図面の簡単な説明】
【０００９】
【図１】本実施の形態に係る情報処理装置の概要を説明する図である。
【図２】本実施の形態に係る情報処理装置の機能ブロック図である。
【図３】本実施の形態に係る画像データ記憶手段の一例を示す図である。
【図４】本実施の形態に係る画像表示手段による処理例を示す図である。
【図５】本実施の形態に係る画像表示手段及びコメント表示手段による処理例を示す図である。
【図６】本実施の形態に係る画像表示手段及びコメント表示手段による処理例を示す図である。
【図７】本実施の形態に係るマーカーの一例を示す図である。
【図８】本実施の形態に係る情報処理装置のハードウエア構成例を示す図である。
【図９】本実施の形態に係る情報処理装置による投稿受付処理の一例の流れを示すフローチャートである。
【図１０】本実施の形態に係る情報処理装置による投稿表示処理の一例の流れを示すフローチャートである。
【発明を実施するための形態】
【００１０】
図面を参照しながら、本発明を実施するための形態について説明する。
（本実施の形態に係る情報処理装置の動作原理）
【００１１】
図１を用いて、本実施の形態に係る情報処理装置（以下、単に「本装置」という。）１００の概要について説明する。本装置１００は、通信ネットワーク２９０を介して、ユーザー２５０が操作するユーザー端末２６０と接続される。通信ネットワーク２９０は、有線・無線のどちらでも良く、ユーザー端末２６０は、スマートフォンのような携帯情報端末でも良く、パーソナルコンピューターその他の形態であっても良い。
【００１２】
本装置１００は、ユーザー端末２６０において所謂ＳＮＳを実現させるものである。本装置１００は、特に、１つの画像データ２１０の中で、意見交換のテーマとしたい箇所に印２２０を付けると共に、印２２０を核にして複数のユーザー２５０間でコメント２３０、２４０を交換し合うことを可能とする。印２２０は、１つの画像データ２１０の中で複数設けることができるため、１つの画像データ２１０について、意見交換するテーマを複数設けることが可能となる。
【００１３】
このように本装置１００は、１つの画像データ２１０を題材にしたコメント２３０、２４０を複数のユーザー２５０間で共有させるとき、ユーザー２５０が投稿テーマを直感的に識別し、コメント２３０、２４０の閲覧・追加投稿を容易に行うことができるようにする。
【００１４】
図２は、本装置１００の機能ブロック図である。図２で示すように、本装置１００は、画像データ記憶手段１１０、最先コメント受付手段１２０、追加コメント受付手段１３０、画像表示手段１４０、コメント表示手段１５０を有する。
【００１５】
画像データ記憶手段１１０は、ユーザー端末２６０から投稿された画像データ２１０、画像データ２１０内位置を特定する情報３００、画像データ２１０に付すマーカー２２０（マーカー２２０を識別する情報）、ユーザー端末２６０から投稿された第１のコメント２３０及び第２のコメント２４０、第１のコメント２３０及び第２のコメント２４０の受付時刻３１０、ユーザー２５０の属性情報２８０等を関連付けて記憶する。
【００１６】
画像データ２１０は、コンピューター上で表示できるデータ形式のものであれば何でも良い。図３で示すように、画像データ２１０は、例えば、ＪＰＥＧ形式のものであっても良く、ＧＩＦ形式をはじめとするその他のデータ形式のものであっても良い。
【００１７】
画像データ２１０は、２次元のものであっても良く、３以上の次元のものであっても良い。図４で示すように、画像データ２１０は、例えば、富士山を上空から撮影した写真データのような２次元画像データであっても良い。
【００１８】
画像データ２１０内位置を特定する情報３００とは、例えば、画像データ２１０内（画像データ２１０上）の所定位置を基準にした座標であっても良く、画像データ２１０が拡大／縮小された場合であっても、同じ個所を指すように定められるものであることが好適である。位置特定情報３００は、例えば、画像データ２１０が２次元画像である場合、画像データ２１０の左上端を基準に下方向に全体の○％、右方向に全体の△％の位置などと規定される。図３で示すように、位置特定情報３００は、例えば、画像データ２１０：ｆｕｊｉｓａｎ．ｊｐｇの左上端を基準にして、下へ３０％、右へ５５％の位置などと規定される情報である。
【００１９】
マーカー２２０は、画像データ２１０上に付され、画像データ２１０上の所定位置（コメント２３０、２４０が関連付けられた位置）を示すための画像情報であり、種々の形態（デザイン）のものが用意される。そのため、個々のマーカー２２０は、マーカー識別情報によって識別される。図５及び６で示すように、マーカー２２０は、例えば、画像データ２１０：ｆｕｊｉｓａｎ．ｊｐｇ上に付される「○」印である。
【００２０】
図７で示すように、マーカー２２０は、様々なデザインの中から選択可能である。図３で示すように、従って、マーカー２２０は、マーカー識別情報：“１”等によって識別される。図７で示すように、マーカー２２０は、様々なデザインの中から選択可能であるため、一度選択されたものを変更することも可能であり、その変更には、金銭の受け渡しが伴うものであっても良い。
【００２１】
第１のコメント２３０は、ユーザー端末２６０から投稿されるユーザー２５０の意見情報であり、画像データ２１０上の所定位置３００に関連付けられるものである。また、第１のコメント２３０は、関連付けられる位置情報３００に関する最先の（最初に受け付けられる）意見情報である。
【００２２】
第２のコメント２４０は、ユーザー端末２６０から投稿されるユーザー２５０の意見情報であり、画像データ２１０上の所定位置３００に関連付けられるものである。そして、第２のコメント２４０は、同じ位置情報３００に関連付けられる第１のコメント２３０に続けて投稿される後発の意見情報である。
【００２３】
図３及び５で示すように、例えば、画像データ２１０：ｆｕｊｉｓａｎ．ｊｐｇの全体に関して、第１のコメント２３０は、“意外と皆登ってるなあ”であり、第２のコメント２４０は、例えば、“早々に脱落してる集団が下にいる．．．”である。また、図３及び６で示すように、例えば、画像データ２１０：ｆｕｊｉｓａｎ．ｊｐｇの位置情報３００：（下３０％、右５５％）に関して、第１のコメント２３０は、“景色良いです”であり、第２のコメント２４０は、例えば、“これもう昇天してませんか？”である。
【００２４】
ユーザー２５０の属性情報２８０は、性別、年齢、趣味等、ユーザー２５０の属性を表すものであれば、その内容は限定されない。図３で示すように、属性情報２８０は、例えば、性別：男性又は女性、年齢：３０（歳）、趣味：ドライブ又は登山などで表される情報である。これによって、統計データの収集が可能となる。
【００２５】
最先コメント受付手段１２０は、ユーザー端末２６０から、画像データ２１０の所定位置３００に関連付けて、画像データ２１０の所定位置３００に表示させるマーカー２２０、第１のコメント２３０を受け付ける。画像データ２１０の所定位置３００を変更すれば、一つの画像データ２１０について、複数のテーマでスレッドを設定することができる。
【００２６】
図３及び５で示すように、最先コメント受付手段１２０は、画像データ２１０：ｆｕｊｉｓａｎ．ｊｐｇの全体に関して、“意外と皆登ってるなあ”という第１のコメント２３０、マーカー識別情報２２０：“指定なし”という情報を受け付ける。また、図３及び６で示すように、最先コメント受付手段１２０は、画像データ２１０：ｆｕｊｉｓａｎ．ｊｐｇの位置情報３００：（下３０％、右５５％）に関して、“景色良いです”という第１のコメント２３０、マーカー識別情報２２０：“１”という情報を受け付ける。
【００２７】
追加コメント受付手段１３０は、ユーザー端末２６０から、画像データ２１０の所定位置３００に関連付けて、第１のコメント２３０に対応する第２のコメント２４０を受け付ける。
【００２８】
図３及び５で示すように、追加コメント受付手段１３０は、例えば、画像データ２１０：ｆｕｊｉｓａｎ．ｊｐｇの全体に関して、“早々に脱落している集団が下にいる．．．”という第２のコメント２４０を受け付ける。また、図３及び６で示すように、追加コメント受付手段１３０は、例えば、画像データ２１０：ｆｕｊｉｓａｎ．ｊｐｇの位置情報３００：（下３０％、右５５％）に関して、“これもう昇天してませんか？”という第２のコメント２４０を受け付ける。
【００２９】
画像表示手段１４０は、ユーザー端末２６０が備える表示装置２７０に対し、画像データ２１０を表示させると共に、画像データ２１０上の所定位置３００にマーカー２２０を表示させる。図３、５及び６で示すように、画像表示手段１４０は、表示装置２７０に対し、画像データ２１０：ｆｕｊｉｓａｎ．ｊｐｇと、画像データ２１０：ｆｕｊｉｓａｎ．ｊｐｇ上の指定位置３００にマーカー識別情報で特定されるマーカー２２０と、を表示させる。
【００３０】
コメント表示手段１５０は、ユーザー端末２６０に表示されるマーカー２２０の選択操作が行われた場合、表示装置２７０に対し、選択されたマーカー２２０と関連付けられる第１のコメント２３０と第２のコメント２４０とを同一の議題に対するコメントとして表示させる。コメント表示手段１５０は、第１のコメント２３０、第２のコメント２４０を時系列順に表示させる。
【００３１】
図３及び５で示すように、コメント表示手段１５０は、例えば、表示装置２７０に対し、画像データ２１０：ｆｕｊｉｓａｎ．ｊｐｇの全体に関して、“意外と皆登ってるなあ”という第１のコメント２３０、“早々に脱落している集団が下にいる．．．”という第２のコメント２４０などを時系列順に表示させる。
【００３２】
図３及び６で示すように、コメント表示手段１５０は、マーカー２２０の選択操作が行われた場合、例えば、表示装置２７０に対し、画像データ２１０：ｆｕｊｉｓａｎ．ｊｐｇのマーカー２２０：識別情報“１”に関連付けられる“景色良いです”という第１のコメント２３０、“これもう昇天してませんか？”という第２のコメント２４０などを時系列順に表示させる。
【００３３】
上記したような動作原理に基づいて、本装置１００は、１つの画像データ２１０に関連するコメント２３０、２４０を複数のユーザー２５０で共有するシステムにおいて、投稿テーマを直感的に識別できるように分類した上で、コメント２３０、２４０の閲覧・追加投稿を可能とする。
（本実施の形態に係る情報処理装置のハードウエア構成）
【００３４】
図８を用いて、本装置１００のハードウエア構成例について説明する。図８は、本装置１００のハードウエア構成の一例を示す図である。図８で示すように、本装置１００は、ＣＰＵ（Central Processing Unit）５１０、ＲＯＭ（Read-Only Memory）５２０、ＲＡＭ（Random Access Memory）５３０、補助記憶装置５４０、通信Ｉ／Ｆ５５０、入力装置５６０、出力装置（表示装置）５７０、記録媒体Ｉ／Ｆ５８０を有する。
【００３５】
ＣＰＵ５１０は、ＲＯＭ５２０に記憶されたプログラムを実行する装置であり、ＲＡＭ５３０に展開（ロード）されたデータを、プログラムの命令に従って演算処理し、本装置１００全体を制御する。ＲＯＭ５２０は、ＣＰＵ５１０が実行するプログラムやデータを記憶している。ＲＡＭ５３０は、ＣＰＵ５１０でＲＯＭ５２０に記憶されたプログラムを実行する際に、実行するプログラムやデータが展開（ロード）され、演算の間、演算データを一時的に保持する。
【００３６】
補助記憶装置５４０は、基本ソフトウエアであるＯＳ（Operating System）や本実施の形態に係るアプリケーションプログラムなどを、関連するデータとともに記憶する装置であり、例えば、ＨＤＤ（Hard Disc Drive）やフラッシュメモリなどである。補助記憶装置５４０は、画像データ記憶手段１１０を含む。
【００３７】
通信Ｉ／Ｆ５５０は、有線・無線ＬＡＮ（Local Area Network）、インターネットなどの通信ネットワーク２９０に接続し、通信機能を提供する他装置２６０とデータの授受を行うためのインターフェースである。
【００３８】
入力装置５６０は、キーボードやタッチパネルなど本装置１００にデータ入力を行うための装置である。出力装置５７０は、ＬＣＤ（Liquid Crystal Display）等で構成される装置であり、本装置１００が有する機能をユーザーが利用する際や各種設定を行う際のユーザーインターフェースとして機能する装置である。
記録媒体Ｉ／Ｆ５８０は、ＣＤ−ＲＯＭ、ＤＶＤ−ＲＯＭ、ＵＳＢメモリなどの記録媒体５９０とデータの送受信を行うためのインターフェースである。
【００３９】
本装置１００が有する各手段は、ＣＰＵ５１０が、ＲＯＭ５２０又は補助記憶装置５４０に記憶された各手段に対応するプログラムを実行することにより実現される形態としても良い。また、本装置１００が有する各手段は、当該各手段に関する処理をハードウエアとして実現される形態としても良い。また、通信Ｉ／Ｆ５５０を介して外部サーバー装置から本発明に係るプログラムを読み込ませたり、記録媒体Ｉ／Ｆ５８０を介して記録媒体５９０から本発明に係るプログラムを読み込ませたりして、本装置１００に当該プログラムを実行させる形態としても良い。
（本実施の形態に係る情報処理装置による処理例）
（１）本装置１００による画像データ２１０、２２０、コメント２３０、２４０の登録処理
【００４０】
図９を用いて、本装置１００による画像データ２１０、２２０、コメント２３０、２４０の登録処理の流れについて説明する。図９は、本装置１００による画像データ２１０、２２０、コメント２３０、２４０の登録処理の一例の流れを示すフローチャートである。
【００４１】
Ｓ１０で本装置１００が、ユーザー端末２６０から、画像データ２１０の投稿を受け付け、受け付けた画像データ２１０を画像データ記憶手段１１０に記憶させる。図３及び４で示すように、本装置１００は、例えば、画像データ２１０：ｆｕｊｉｓａｎ．ｊｐｇの投稿を受け付け、受け付けた画像データ２１０：ｆｕｊｉｓａｎ．ｊｐｇを画像データ記憶手段１１０に記憶させる。
【００４２】
Ｓ２０で最先コメント受付手段１２０が、画像データ２１０の所定位置３００に関連付けて、所定位置３００に表示させるマーカー２２０と第１のコメント２３０とを受け付ける。図３及び６で示すように、最先コメント受付手段１２０は、画像データ２１０：ｆｕｊｉｓａｎ．ｊｐｇの位置情報３００：（下３０％、右５５％）に関して、“景色良いです”という第１のコメント２３０、マーカー識別情報２２０：“１”という情報を受け付ける。
【００４３】
また、図３及び５で示すように、最先コメント受付手段１２０は、画像データ２１０：ｆｕｊｉｓａｎ．ｊｐｇの全体に関して、“意外と皆登ってるなあ”という第１のコメント２３０、マーカー識別情報２２０：“指定なし”という情報を受け付ける形態としても良い。
なお、最先コメント受付手段１２０は、受け付けた情報を画像データ記憶手段１１０に記憶させる。
【００４４】
Ｓ３０で追加コメント受付手段１３０が、画像データ２１０の所定位置３００に関連付けて、第１のコメント２３０に対応する第２のコメント２４０を受け付ける。図３及び６で示すように、追加コメント受付手段１３０は、例えば、画像データ２１０：ｆｕｊｉｓａｎ．ｊｐｇの位置情報３００：（下３０％、右５５％）に関して、“これもう昇天してませんか？”という第２のコメント２４０を受け付ける。
【００４５】
また、図３及び５で示すように、追加コメント受付手段１３０は、例えば、画像データ２１０：ｆｕｊｉｓａｎ．ｊｐｇの全体に関して、“早々に脱落している集団が下にいる．．．”という第２のコメント２４０を受け付ける。
なお、追加コメント受付手段１３０は、受け付けた情報を画像データ記憶手段１１０に記憶させる。
【００４６】
上記のような処理を行うことによって、本装置１００は、１つの画像データ２１０に関連するコメント２３０、２４０を複数のユーザー２５０で共有するシステムにおいて、投稿テーマを直感的に識別できるように分類した上で、コメント２３０、２４０の閲覧・追加投稿を可能とする。
（２）本装置１００による画像データ２１０、２２０、コメント２３０、２４０の表示処理
【００４７】
図１０を用いて、本装置１００による画像データ２１０、２２０、コメント２３０、２４０の表示処理の流れについて説明する。図１０は、本装置１００による画像データ２１０、２２０、コメント２３０、２４０の表示処理の一例の流れを示すフローチャートである。
【００４８】
Ｓ１１０で画像表示手段１４０が、表示装置２７０に対し、画像データ２１０を表示させると共に、画像データ２１０上の所定位置３００にマーカー２２０を表示させる。図３、５及び６で示すように、画像表示手段１４０は、表示装置２７０に対し、画像データ２１０：ｆｕｊｉｓａｎ．ｊｐｇを表示させると共に、画像データ２１０：ｆｕｊｉｓａｎ．ｊｐｇ上の指定位置３００にマーカー識別情報で特定されるマーカー２２０を表示させる。
【００４９】
Ｓ１２０でコメント表示手段１５０が、表示装置２７０上の画像データ２１０における所定位置３００に表示されるマーカー２２０の選択操作が行われたことを検知する。図３及び６で示すように、コメント表示手段１５０は、表示装置２７０上の画像データ２１０：ｆｕｊｉｓａｎ．ｊｐｇにおける所定位置３００：（下３０％、右５５％）に表示されるマーカー識別情報：“１”で特定されるマーカー２２０の選択操作が行われたことを検知する。
【００５０】
Ｓ１３０でコメント表示手段１５０が、表示装置２７０に対し、選択操作がされた位置特定情報３００に関連付けられる第１のコメント２３０、第２のコメント２４０を同一の議題（話題）に対するコメントとして時系列順に表示させる。図３及び６で示すように、コメント表示手段１５０は、表示装置２７０に対し、画像データ２１０：ｆｕｊｉｓａｎ．ｊｐｇにおけるマーカー識別情報：“１”で特定されるマーカー２２０に関して、“景色良いです”という第１のコメント２３０、“これもう昇天してませんか？”という第２のコメント２４０などを時系列順に表示させる。
【００５１】
なお、図３及び５で示すように、コメント表示手段１５０は、例えば、表示装置２７０に対し、画像データ２１０：ｆｕｊｉｓａｎ．ｊｐｇの全体に関して、“意外と皆登ってるなあ”という第１のコメント２３０、“早々に脱落している集団が下にいる．．．”という第２のコメント２４０などを同一の議題に対するコメントとして時系列順に表示させる形態としても良い。
【００５２】
上記のような処理を行うことによって、本装置１００は、１つの画像データ２１０に関連するコメント２３０，２４０を複数のユーザー２５０で共有するシステムにおいて、投稿テーマを直感的に識別できるように分類した上で、コメント２３０、２４０の閲覧・追加投稿を可能とする。
【００５３】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００５４】
１００  情報処理装置
１１０  画像データ記憶手段
１２０  最先コメント受付手段
１３０  追加コメント受付手段
１４０  画像表示手段
１５０  コメント表示手段
２１０  画像データ
２２０  マーカー
２３０  第１のコメント
２４０  第２のコメント
２５０  ユーザー
２６０  ユーザー端末
２７０  ユーザー端末が備える表示装置
２８０  ユーザーの属性情報
２９０  通信ネットワーク
３００  マーカーの位置
３１０  コメントの投稿日時
５１０  ＣＰＵ
５２０  ＲＯＭ
５３０  ＲＡＭ
５４０  補助記憶装置
５５０  通信インターフェース
５６０  入力装置
５７０  出力装置（表示装置）
５８０  記録媒体インターフェース
５９０  記録媒体
【図１】
2020003912.tif 000003
【図２】
2020003912.tif 000004
【図３】
2020003912.tif 000005
【図４】
2020003912.tif 000006
【図５】
2020003912.tif 000007
【図６】
2020003912.tif 000008
【図７】
2020003912.tif 000009
【図８】
2020003912.tif 000010
【図９】
2020003912.tif 000011
【図１０】
2020003912.tif 000012